(57)【要約】【課題】ユーザーが何も操作することなく一目で感覚的に録画可能な残り時間と記録媒体の使用容量の両方を認識することができる録画再生装置を提供する。【解決手段】録画再生装置は、記録媒体に対して記録再生を行う記録再生部（ＨＤＤ記録再生部５，光ディスク記録再生部６）と、前記記録再生部の所定の録画モードでの録画可能な残り時間を表示色で表し、前記記録媒体の使用容量を表示面積で表す記録媒体状態表示部（ＨＤ状態表示部１０，光ディスク状態表示部１１）と、前記記録再生部の録画可能な残り時間と前記表示色との対応関係を示すデータテーブル記憶する不揮発性メモリ８と、制御部７とを備える。制御部７は、前記データテーブルを参照して、前記記録媒体状態表示部を制御する。【選択図】図１
2012243343.tif 000002
【特許請求の範囲】
【請求項１】
記録媒体に対して記録再生を行う記録再生部と、
前記記録再生部の所定の録画モードでの録画可能な残り時間を表示色で表し、前記記録媒体の使用容量を表示面積で表す記録媒体状態表示部と、
前記記録再生部の録画可能な残り時間と前記表示色との対応関係を示すデータテーブル記憶する不揮発性メモリと、
制御部とを備え、
前記制御部が、前記データテーブルを参照して、前記記録媒体状態表示部を制御することを特徴とする録画再生装置。
【請求項２】
前記データテーブルの区分数、各区分の境界となる録画可能な残り時間の数値、及び各区分に属する表示色の少なくとも一つが変更可能であることを特徴とする請求項１に記載の録画再生装置。
【請求項３】
種類の異なる前記記録再生部を複数備え、
前記記録媒体状態表示部を複数備え、
複数の前記記録再生部と複数の前記記録媒体状態表示部とが１対１対応していることを特徴とする請求項１又は請求項２に記載の録画再生装置。
【請求項４】
前記記録媒体状態表示部が、前記記録媒体状態表示部に割り当てられる表示可能領域を領域分割して、複数の録画モードでの録画可能な残り時間を同時に表すことを特徴とする請求項１〜３のいずれか１項に記載の録画再生装置。
【請求項５】
前記記録媒体状態表示部が、複数の録画モードでの録画可能な残り時間を時分割で表すことを特徴とする請求項１〜３のいずれか１項に記載の録画再生装置。
【発明の詳細な説明】
【技術分野】
【０００１】
本発明は、テレビ番組等の録画再生を行う録画再生装置に関する。
【背景技術】
【０００２】
従来の一般的な録画再生装置は、接続されているテレビ受像機の画面に、録画可能な残り時間や録画可能な残容量を数字で表示する機能を有している。そして、当該機能によって録画可能な残り時間や録画可能な残容量を画面表示させるためには、ユーザーがリモートコントローラ又は録画再生装置本体に設けられているキーを操作する必要があった。
【先行技術文献】
【特許文献】
【０００３】
【特許文献１】特開平２―２４０８９０号公報
【特許文献２】特開２００９−８０８８１号公報
【特許文献３】特開２００５−２６７７６３号公報
【発明の概要】
【発明が解決しようとする課題】
【０００４】
したがって、従来の一般的な録画再生装置では、ユーザーが何も操作することなく一目で感覚的に録画可能な残り時間や録画可能な残容量を認識することができなかった。
【０００５】
そこで、特許文献１では、ユーザーが残容量表示の操作を行うことなく、残容量範囲毎に異なる色で残容量を数字で表示する記憶媒体の記憶容量の残量表示装置が提案されている。しかしながら、特許文献１で提案されている記憶媒体の記憶容量の残量表示装置は、録画可能な残り時間と記録媒体の使用容量の両方を一目で感覚的にユーザーに認識させることができるものではなかった。
【０００６】
また、特許文献２では、記録媒体の再生位置や録画残量などを表示するための分割点灯が可能な照明を複数備える録画再生装置が提案されている。しかしながら、特許文献２で提案されている録画再生装置も、特許文献１で提案されている装置と同様に、録画可能な残り時間と記録媒体の使用容量の両方を一目で感覚的にユーザーに認識させることができるものではなかった。
【０００７】
また、特許文献３では、光ディスクの記録可能な残容量に応じて表示色を切り替えることができる表示部を備える光ディスク装置が提案されている。しかしながら、特許文献３で提案されている光ディスク装置も、特許文献１，２で提案されている装置と同様に、録画可能な残り時間と記録媒体の使用容量の両方を一目で感覚的にユーザーに認識させることができるものではなかった。
【０００８】
本発明は、上記の状況に鑑み、ユーザーが何も操作することなく一目で感覚的に録画可能な残り時間と記録媒体の使用容量の両方を認識することができる録画再生装置を提供することを目的とする。
【課題を解決するための手段】
【０００９】
上記目的を達成するために本発明に係る録画再生装置は、記録媒体に対して記録再生を行う記録再生部と、前記記録再生部の所定の録画モードでの録画可能な残り時間を表示色で表し、前記記録媒体の使用容量を表示面積で表す記録媒体状態表示部と、前記記録再生部の録画可能な残り時間と前記表示色との対応関係を示すデータテーブル記憶する不揮発性メモリと、制御部とを備え、前記制御部が、前記データテーブルを参照して、前記記録媒体状態表示部を制御する構成（第１の構成）とする。
【００１０】
このような構成によると、ユーザーが何も操作することなく一目で感覚的に録画可能な残り時間と記録媒体の使用容量の両方を認識することができる。さらに、記録媒体状態表示部の表示がイルミネーションとしても機能するので、審美性が向上する。
【００１１】
また、上記第１の構成の録画再生装置において、前記データテーブルの区分数、各区分の境界となる録画可能な残り時間の数値、及び各区分に属する表示色の少なくとも一つが変更可能である構成（第２の構成）にしてもよい。これにより、これにより、ユーザーの好みに合った形態での表示が可能となる。
【００１２】
また、上記第１の構成又は上記第２の構成の録画再生装置において、種類の異なる前記記録再生部を複数備え、前記記録媒体状態表示部を複数備え、複数の前記記録再生部と複数の前記記録媒体状態表示部とが１対１対応している構成（第３の構成）にしてもよい。これにより、いわゆる複合機に対応することができる。
【００１３】
また、上記第１〜３のいずれかの構成の録画再生装置において、前記記録媒体状態表示部が、前記記録媒体状態表示部に割り当てられる表示可能領域を領域分割して、複数の録画モードでの録画可能な残り時間を同時に表すようにしてもよい。これにより、ユーザーに対して録画モードを選択するための参考情報を提示することができる。
【００１４】
また、上記第１〜３のいずれかの構成の録画再生装置において、前記記録媒体状態表示部が、複数の録画モードでの録画可能な残り時間を時分割で表すようにしてもよい。これにより、ユーザーに対して録画モードを選択するための参考情報を提示することができる。
【発明の効果】
【００１５】
本発明に係る録画再生装置によると、ユーザーが何も操作することなく一目で感覚的に録画可能な残り時間と記録媒体の使用容量の両方を認識することができる。
【図面の簡単な説明】
【００１６】
【図１】本発明の一実施形態に係るＨＤＤ搭載光ディスク記録再生装置の概略構成を示す図である。
【図２】本発明の一実施形態に係るＨＤＤ搭載光ディスク記録再生装置の概略斜視図である。
【図３】録画可能な残り時間と表示色との関係を示すデータテーブルを概念的に示した図である。
【図４】ＨＤ状態表示部及び光ディスク状態表示部の第１表示例を示す図である。
【図５】ＨＤ状態表示部及び光ディスク状態表示部の第２表示例を示す図である。
【図６】ＨＤ状態表示部及び光ディスク状態表示部の第３表示例を示す図である。
【図７】ＨＤ状態表示部及び光ディスク状態表示部の第４表示例を示す図である。
【図８】ＨＤ状態表示部及び光ディスク状態表示部の第５表示例を示す図である。
【図９Ａ】ＨＤ状態表示部及び光ディスク状態表示部の第６表示例を示す図である。
【図９Ｂ】ＨＤ状態表示部及び光ディスク状態表示部の第６表示例を示す図である。
【図１０】本発明の一実施形態に係るＨＤＤ搭載光ディスク記録再生装置の概略斜視図である。
【発明を実施するための形態】
【００１７】
本発明の実施形態について図面を参照して以下に説明する。本発明に係る録画再生装置として、ここでは、ＨＤＤ（Hard Disk Drive）搭載光ディスク記録再生装置を例に挙げて説明する。本発明の一実施形態に係るＨＤＤ搭載光ディスク記録再生装置の概略構成を図１に示す。
【００１８】
本発明の一実施形態に係るＨＤＤ搭載光ディスク記録再生装置は、図１に示す通り、チューナ１と、映像音声処理部２と、ＯＳＤ（On Screen Display）部３と、出力部４と、ＨＤＤ記録再生部５と、光ディスク記録再生部６と、制御部７と、不揮発性メモリ８と、受光部９と、ＨＤ（Hard Disk）状態表示部１０と、光ディスク状態表示部１１とを備えている。
【００１９】
チューナ１は、アンテナ１２から受け取ったテレビ放送信号の選局及び復調（例えばＯＦＤＭ（Orthogonal Frequency Division Multiplexing）復調）を行う。映像音声処理部２は、チューナ１から受け取った映像音声信号又はＨＤＤ記録再生部５若しくは光ディスク記録再生部６で再生された映像音声信号を出力部４に送ったり、チューナ１から受け取った映像音声信号をＨＤＤ記録再生部５又は光ディスク記録再生部６に送ったりする。ＯＳＤ部３は、制御部７からの指示に基づいて生成したＯＳＤ画像データを出力部４に送る。出力部４は、映像音声処理部２から受け取った映像信号とＯＳＤ部３から受け取ったＯＳＤ画像データとを合成した合成映像信号を外部に出力したり、上記合成処理を行わず映像音声処理部２から受け取った映像信号をそのまま外部に出力したり、上記合成処理を行わずＯＳＤ部３から受け取ったＯＳＤ画像データをそのまま外部に出力したり、映像音声処理部２から受け取った音声信号を外部に出力したりする。出力部４の出力信号は、本発明の一実施形態に係るＨＤＤ搭載光ディスク記録再生装置に接続されるテレビ受像機（不図示）に送出される。本発明の一実施形態に係るＨＤＤ搭載光ディスク記録再生装置に接続されるテレビ受像機は、出力部４の出力信号に基づく映像表示および音声出力を行う。
【００２０】
ＨＤＤ記録再生部５は、映像音声処理部２から受け取った映像音声信号をＨＤに記録したり、ＨＤに記録されている映像音声信号を再生したりする。また、光ディスク記録再生部６は、映像音声処理部２から受け取った映像音声信号をＤＶＤ（Digital Versatile Disc）、ＢＤ（Blu-ray Disc）等の光ディスクに記録したり、光ディスクに記録されている映像音声信号を再生したりする。なお、光ディスクは、光ディスク記録再生部６に対して着脱自在に装着される。
【００２１】
受光部９は、リモートコントローラ（不図示）から送信されたリモコン赤外線信号を受光して電気信号に変換し、さらにその電気信号から操作コードを抽出して制御部７に出力する。制御部７は、不揮発性メモリ８に格納されている制御プログラム及び各種設定（例えば、各操作コードと各機能との対応関係を示すデータテーブル等）と、受光部９から受け取った操作コードと、本発明の一実施形態に係るＨＤＤ搭載光ディスク記録再生装置の本体に設けられている操作キー（不図示）から出力される信号によって定まる操作コードとに応じて、本発明の一実施形態に係るＨＤＤ搭載光ディスク記録再生装置の各部を制御する。
【００２２】
ＨＤ状態表示部１０は、制御部７の制御に従って、ＨＤＤ記録再生部５の録画可能な残り時間及びＨＤの使用容量を表示色及び表示面積で表す。このため、ＨＤ状態表示部１０は、表示色を変更する手段と、表示面積を変更する手段を有する構成とする。さらに、同時に複数の表示色での表示が可能な構成にしてもよい。ＨＤ状態表示部１０は、例えば、発光色の異なる複数のＬＥＤ（Light Emitting Diode）と、当該ＬＥＤから発せられる光を導光して発光面積を拡げるプリズムと、プリズムから発せられる光を遮光し且つその遮光量の調整が可能な遮光機構とを有する表示部で実現可能であり、また、例えば、液晶表示部でも実現可能である。
【００２３】
光ディスク状態表示部１１は、制御部７の制御に従って、光ディスク記録再生部６の録画可能な残り時間及びＨＤの使用容量を表示色及び表示面積で表す。このため、光ディスク状態表示部１１は、表示色を変更する手段と、表示面積を変更する手段を有する構成とする。さらに、同時に複数の表示色での表示が可能な構成にしてもよい。光ディスク状態表示部１１は、例えば、発光色の異なる複数のＬＥＤと、当該ＬＥＤから発せられる光を導光して発光面積を拡げるプリズムと、プリズムから発せられる光を遮光し且つその遮光量の調整が可能な遮光機構とを有する表示部で実現可能であり、また、例えば、液晶表示部でも実現可能である。
【００２４】
本発明の一実施形態に係るＨＤＤ搭載光ディスク記録再生装置の概略斜視図を図２に示す。本発明の一実施形態に係るＨＤＤ搭載光ディスク記録再生装置の上面左半分領域１３はＨＤ状態表示部１０に割り当てられており、上面左半分領域１３の一部又は全部がＨＤ状態表示部１０によって発光する。また、本発明の一実施形態に係るＨＤＤ搭載光ディスク記録再生装置の上面右半分領域１４は光ディスク状態表示部１１に割り当てられており、上面右半分領域１４の一部又は全部が光ディスク状態表示部１１によって発光する。
【００２５】
制御部７は、不揮発性メモリ８に予め記憶されている図３に示すようなデータテーブルを参照して、ＨＤ状態表示部１０及び光ディスク状態表示部１１を制御し、所定の録画モードでの録画可能な残り時間及び記録媒体の使用容量に関する表示を行わせる。なお、録画番組の消去や光ディスクの交換等のＨＤや光ディスクの状態が変化するイベントが発生した場合、制御部７は、リアルタイムに所定の録画モードでの録画可能な残り時間及び記録媒体の使用容量に関する表示内容を変更させる。所定の録画モードの候補としては、例えば、デフォルトの録画モード、最も使用頻度が高い録画モード、直近に録画動作で使用した録画モード等が挙げられる。なお、所定の録画モードは、複数の候補から選択可能であることが望ましい。
【００２６】
＜第１表示例＞
ここで、ＨＤの使用容量がＨＤ容量の５０％であり、所定の録画モードでのＨＤＤ記録再生部５の録画可能な残り時間が１００時間であり、光ディスク記録再生部６に装着されている光ディスクの使用容量が光ディスク容量の１００％であり、所定の録画モードでの光ディスク記録再生部６の録画可能な残り時間が０時間である場合（以下、条件１という）のＨＤ状態表示部１０及び光ディスク状態表示部１１の表示例（第１表示例）を図４に示す。図４は、第１表示例での本発明の一実施形態に係るＨＤＤ搭載光ディスク記録再生装置の上面図である。
【００２７】
図４では、上面左半分領域１３の５０％が青色発光領域Ｂとなっており、ＨＤＤ記録再生部５の録画可能な残り時間（１００時間）が上面左半分領域１３の表示色で表され、ＨＤの使用容量（５０％）が上面左半分領域１３の表示面積で表されている。
【００２８】
また、図４では、上面右半分領域１４の１００％が白色発光領域Ｗとなっており、光ディスク記録再生部６の録画可能な残り時間（０時間）が上面右半分領域１４の表示色で表され、光ディスク記録再生部６に装着されている光ディスクの使用容量（１００％）が上面右半分領域１４の表示面積で表されている。
【００２９】
＜第２表示例＞
次に、ＨＤの使用容量がＨＤ容量の９０％であり、所定の録画モードでのＨＤＤ記録再生部５の録画可能な残り時間が２０時間であり、光ディスク記録再生部６に装着されている光ディスクの使用容量が光ディスク容量の１００％であり、所定の録画モードでの光ディスク記録再生部６の録画可能な残り時間が０時間である場合（以下、条件２という）のＨＤ状態表示部１０及び光ディスク状態表示部１１の表示例（第２表示例）を図５に示す。図５は、第２表示例での本発明の一実施形態に係るＨＤＤ搭載光ディスク記録再生装置の上面図である。
【００３０】
図５では、上面左半分領域１３の９０％が赤色発光領域Ｒとなっており、ＨＤＤ記録再生部５の録画可能な残り時間（２０時間）が上面左半分領域１３の表示色で表され、ＨＤの使用容量（９０％）が上面左半分領域１３の表示面積で表されている。
【００３１】
また、図５では、上面右半分領域１４の１００％が白色発光領域Ｗとなっており、光ディスク記録再生部６の録画可能な残り時間（０時間）が上面右半分領域１４の表示色で表され、光ディスク記録再生部６に装着されている光ディスクの使用容量（１００％）が上面右半分領域１４の表示面積で表されている。
【００３２】
＜第３表示例＞
次に、条件２のＨＤ状態表示部１０及び光ディスク状態表示部１１の他の表示例（第３表示例）を図６に示す。図６は、第３表示例での本発明の一実施形態に係るＨＤＤ搭載光ディスク記録再生装置の上面図である。
【００３３】
図６では、上面左半分領域１３の９０％が発光領域（上面左半分領域１３の５０％が青色発光領域Ｂ、上面左半分領域１３の１５％が緑色発光領域Ｇ、上面左半分領域１３の２０％が黄色発光領域Ｙ、上面左半分領域１３の５％が赤色発光領域Ｒ）となっており、ＨＤＤ記録再生部５の録画可能な残り時間（２０時間）が上面左半分領域１３の最も手前側の表示色で表され、ＨＤの使用容量（９０％）が上面左半分領域１３の表示面積で表されている。
【００３４】
また、図６では、上面右半分領域１４の１００％が白色発光領域Ｗとなっており、光ディスク記録再生部６の録画可能な残り時間（０時間）が上面右半分領域１４の表示色で表され、光ディスク記録再生部６に装着されている光ディスクの使用容量（１００％）が上面右半分領域１４の表示面積で表されている。
【００３５】
＜第４表示例＞
次に、条件１から所定の録画モードを条件１での録画モード（第１録画モード）より高画質な録画モード（第２録画モード）に変更し、ＨＤＤ記録再生部５の録画可能な残り時間が５０時間に減った場合（以下、条件３という）のＨＤ状態表示部１０及び光ディスク状態表示部１１の表示例（第４表示例）を図７に示す。図７は、第４表示例での本発明の一実施形態に係るＨＤＤ搭載光ディスク記録再生装置の上面図である。
【００３６】
図７では、上面左半分領域１３の５０％が黄色発光領域Ｙとなっており、ＨＤＤ記録再生部５の録画可能な残り時間（５０時間）が上面左半分領域１３の表示色で表され、ＨＤの使用容量（５０％）が上面左半分領域１３の表示面積で表されている。
【００３７】
また、図７では、上面右半分領域１４の１００％が白色発光領域Ｗとなっており、光ディスク記録再生部６の録画可能な残り時間（０時間）が上面右半分領域１４の表示色で表され、光ディスク記録再生部６に装着されている光ディスクの使用容量（１００％）が上面右半分領域１４の表示面積で表されている。
【００３８】
＜第５表示例＞
次に、条件３のＨＤ状態表示部１０及び光ディスク状態表示部１１の他の表示例（第５表示例）を図８に示す。図８は、第５表示例での本発明の一実施形態に係るＨＤＤ搭載光ディスク記録再生装置の上面図である。
【００３９】
図８では、上面左半分領域１３の５０％が発光領域（上面左半分領域１３の３０％が緑色発光領域Ｇ、上面左半分領域１３の２０％が黄色発光領域Ｙ）となっており、ＨＤＤ記録再生部５の録画可能な残り時間（５０時間）が上面左半分領域１３の最も手前側の表示色で表され、ＨＤの使用容量（５０％）が上面左半分領域１３の表示面積で表されている。
【００４０】
また、図８では、上面右半分領域１４の１００％が白色発光領域Ｗとなっており、光ディスク記録再生部６の録画可能な残り時間（０時間）が上面右半分領域１４の表示色で表され、光ディスク記録再生部６に装着されている光ディスクの使用容量（１００％）が上面右半分領域１４の表示面積で表されている。
【００４１】
＜第６表示例＞
上面左半分領域１３及び上面右半分領域１４をそれぞれ複数に分割することで、複数の所定の録画モードでの録画可能な残り時間を一度に表示することができる。例えば、上面左半分領域１３及び上面右半分領域１４をそれぞれ２分割し、条件１及び条件３の表示を同時に行う場合、図９Ａに示す表示や図９Ｂに示す表示にすればよい。なお、図９Ａに示す表示の代わりに、第１表示例と第４表示例とを時分割で実行してもよい。同様に、図９Ｂに示す表示の代わりに、第１表示例と第５表示例とを時分割で実行してもよい。
【００４２】
＜効果＞
上述した第１〜第６表示例から明らかな通り、本発明の一実施形態に係るＨＤＤ搭載光ディスク記録再生装置は、ユーザーが何も操作することなく一目で感覚的に録画可能な残り時間と記録媒体の使用容量の両方を認識することができる。さらに、ＨＤ状態表示部１０及び光ディスク状態表示部１１の表示がイルミネーションとしても機能するので、審美性が向上する。
【００４３】
なお、ＨＤ状態表示部１０及び光ディスク状態表示部１１に割り当てられる領域は、上述した実施形態のような装置の筐体の或る一面全面に限定されず、例えば図１０に示すような装置の筐体の或る一面の一部であってもよい。図１０では、ＨＤ状態表示部１０に割り当てられる領域を符号１５で示しており、光ディスク状態表示部１１に割り当てられる領域を符号１６で示している。
【００４４】
＜設定変更等＞
ＯＳＤ画像データによって、本発明の一実施形態に係るＨＤＤ搭載光ディスク記録再生装置に接続されるテレビ受像機に設定メニュー画面が表示されている状態において、ユーザーが、リモートコントローラや本発明の一実施形態に係るＨＤＤ搭載光ディスク記録再生装置の本体に設けられている操作キーを操作することで、図３に示すようなデータテーブルの区分数、各区分の境界となる録画可能な残り時間の数値、各区分に属する表示色をそれぞれ変更できることが望ましい。これにより、ユーザーの好みに合った形態での表示が可能となる。特に、各区分に属する表示色を変更できるようにすれば、ユーザーの好みに合ったイルミネーションを得ることができる。
【符号の説明】
【００４５】
１  チューナ
２  映像音声処理部
３  ＯＳＤ部
４  出力部
５  ＨＤＤ記録再生部
６  光ディスク記録再生部
７  制御部
８  不揮発性メモリ
９  受光部
１０  ＨＤ状態表示部
１１  光ディスク状態表示部
１２  アンテナ
１３  上面左半分領域
１４  上面右半分領域
【図１】
2012243343.tif 000003
【図３】
2012243343.tif 000004
【図４】
2012243343.tif 000005
【図８】
2012243343.tif 000006
【図９Ａ】
2012243343.tif 000007
【図９Ｂ】
2012243343.tif 000008
【図２】
2012243343.tif 000009
【図５】
2012243343.tif 000010
【図６】
2012243343.tif 000011
【図７】
2012243343.tif 000012
【図１０】
2012243343.tif 000013